(57)【要約】【課題】  本発明は、フラットディスプレイ装置の駆動回路及びフラットディスプレイ装置に関し、発光特性のばらつき、経時変化を補正できるようにして、有機ＥＬ素子による表示装置に適用して好適な駆動回路、この駆動回路による表示装置を提案する。【解決手段】  本発明は、ディジタルアナログ変換用の基準電圧Ｖ１〜Ｖ６４の生成に使用する原基準電圧ＶＲＴ、ＶＢ〜ＶＧ、ＶＲＢを、原基準電圧設定データＤＶに応じて生成する。【選択図】        図１
2005284037.tif 000002
【特許請求の範囲】
【請求項１】
画像データをディジタルアナログ変換処理して駆動信号を生成し、前記駆動信号によりマトリックス状に画素を配置してなる表示部の信号線を駆動するフラットディスプレイ装置の駆動回路において、
基準電圧生成用電圧より複数の原基準電圧を生成する原基準電圧生成回路と、
抵抗を複数個直列接続した分圧回路をさらに複数個直列接続して、両端及び前記分圧回路間に前記原基準電圧をそれぞれ入力し、前記複数個の分圧回路による分圧電圧により複数の基準電圧を出力する基準電圧生成回路と、
前記複数の基準電圧を入力して対応する信号線に係る前記画像データに応じて選択出力することにより、前記駆動信号を出力する複数の選択回路と、
前記原基準電圧の設定を指示する原基準電圧設定データを入力する入力回路とを備え、  前記原基準電圧生成回路は、
前記原基準電圧設定データに応じて、前記原基準電圧をそれぞれ生成する複数のディジタルアナログ変換回路を有する
ことを特徴とするフラットディスプレイ装置の駆動回路。
【請求項２】
前記ディジタルアナログ変換回路は、
前記基準電圧生成用電圧を分圧して、前記原基準電圧の候補電圧を複数生成する原基準電圧用の分圧回路と、
前記複数の候補電圧を入力して原基準電圧設定データに応じて選択出力することにより、前記原基準電圧を出力する選択回路とを有する
ことを特徴とする請求項１に記載のフラットディスプレイ装置の駆動回路。
【請求項３】
前記原基準電圧生成回路、前記基準電圧生成回路、前記選択回路、前記入力回路を一体に集積回路化してなる
ことを特徴とする請求項１に記載のフラットディスプレイ装置の駆動回路。
【請求項４】
ライン単位で、同一色の前記画素に係る画像データが連続するように、前記各色の画素に係る画像データが時分割多重化されて入力され、
前記原基準電圧生成回路は、
該時分割多重化されて入力される前記画像データに係る色の切り換えに対応して、前記原基準電圧を切り換える
ことを特徴とする請求項１に記載のフラットディスプレイ装置の駆動回路。
【請求項５】
画像データによる画像を表示するフラットディスプレイ装置において、
マトリックス状に画素を配置してなる表示部と、
駆動信号により前記表示部の信号線を駆動する水平駆動回路とを有し、
前記水平駆動回路は、
基準電圧生成用の電源より複数の原基準電圧を生成する原基準電圧生成回路と、
抵抗を複数個直列接続した分圧回路をさらに複数個直列接続して、両端及び前記分圧回路間に前記原基準電圧をそれぞれ入力し、前記複数個の分圧回路による分圧電圧により複数の基準電圧を出力する基準電圧生成回路と、
前記複数の基準電圧を入力して、対応する信号線に係る前記画像データに応じて選択出力することにより、前記駆動信号を出力する複数の選択回路とを備え、
前記原基準電圧生成回路は、
原基準電圧設定データに応じて、前記原基準電圧をそれぞれ生成する複数のディジタルアナログ変換回路を有する
ことを特徴とするフラットディスプレイ装置。
【請求項６】
前記ディジタルアナログ変換回路は、
前記基準電圧生成用電圧を分圧して、前記原基準電圧の候補電圧を複数生成する原基準電圧用の分圧回路と、
前記複数の候補電圧を入力して前記原基準電圧設定データに応じて選択出力することにより、前記原基準電圧を出力する選択回路とを有する
ことを特徴とする請求項５に記載のフラットディスプレイ装置。
【請求項７】
ライン単位で、同一色の前記画素に係る画像データが連続するように、前記各色の画素に係る画像データを時分割多重化して前記水平駆動回路に入力する時分割多重化回路と、  該時分割多重化した画像データに係る色の切り換えに対応して、前記原基準電圧設定データを切り換えるデータ切り換え回路とを有し、
前記水平駆動回路は、
前記画像データに係る色の切り換えに対応して、前記駆動信号の出力を切り換える選択回路を有する
ことを特徴とする請求項５に記載のフラットディスプレイ装置。
【請求項８】
前記データ切り換え回路は、
前記表示部の経時変化を補正する補正データにより補正して前記原基準電圧設定データを生成する
ことを特徴とする請求項７に記載のフラットディスプレイ装置。
【発明の詳細な説明】
【技術分野】
【０００１】
本発明は、フラットディスプレイ装置の駆動回路及びフラットディスプレイ装置に関し、例えば有機ＥＬ（Electro Luminescence）素子による表示装置に適用することができる。本発明は、ディジタルアナログ変換用の基準電圧の生成に使用する原基準電圧を、原基準電圧設定データに応じて生成することにより、発光特性のばらつき等を補正できるようにして、有機ＥＬ素子による表示装置に適用して好適な駆動回路、この駆動回路による表示装置を提案する。
【背景技術】
【０００２】
従来、フラットディスプレイ装置の１つである液晶表示装置においては、例えば特開平１０−３３３６４８号公報に開示されているように、ディジタルアナログ変換処理に供する基準電圧の設定によりガンマの特性を切り換えるようになされている。
【０００３】
すなわち図５に示すように、液晶表示装置１は、液晶セル、液晶セルのスイッチング素子、保持容量により各画素（Ｐ）３Ｒ、３Ｇ、３Ｂが形成され、これら各画素３Ｒ、３Ｇ、３Ｂをマトリックス状に配置して表示部２が形成される。液晶表示装置１は、この表示部２の各画素３Ｒ、３Ｇ、３Ｂがそれぞれ信号線（列線）ＳＩＧ及びゲート線（行線）Ｇを介して水平駆動回路４及び垂直駆動回路５に接続され、垂直駆動回路５により順次画素３Ｒ、３Ｇ、３Ｂを選択して水平駆動回路４からの駆動信号により各画素３Ｒ、３Ｇ、３Ｂの階調を設定し、これにより所望の画像を表示するようになされている。またそれぞれ赤色、緑色及び青色のカラーフィルタを設けてなる画素３Ｒ、３Ｇ、３Ｂを順次循環的に配置することにより、カラー画像を表示できるようになされている。
【０００４】
このため液晶表示装置１は、装置本体６から表示に供する赤色、緑色、青色の画像データＤＲ、ＤＧ、ＤＢを同時並列的にコントローラ７に入力し、この画像データＤＲ、ＤＧ、ＤＢに同期したタイミング信号により垂直駆動回路５で表示部２のゲート線Ｇを駆動する。また水平駆動回路４による信号線ＳＩＧの駆動に対応するように、これら画像データＤＲ、ＤＧ、ＤＢを時分割多重化して１系統の画像データＤ１を生成し、この画像データＤ１により水平駆動回路４で信号線ＳＩＧを駆動する。
【０００５】
図６は、この水平駆動回路４及びコントローラ７を詳細に示すブロック図である。コントローラ７は、メモリ制御回路９の制御により装置本体６から出力される画像データＤＲ、ＤＧ、ＤＢをメモリ１０に順次格納して出力することにより、水平駆動回路４による信号線ＳＩＧの駆動に対応するように、水平走査期間を単位にして、ライン単位で同一色の係る画像データが連続するように、これら画像データＤＲ、ＤＧ、ＤＢを時分割多重化して１系統により出力する。具体的に、この例では、赤色、緑色、青色の画素３Ｒ、３Ｇ、３Ｂについて、水平駆動回路４は、赤色の画素３Ｒ、緑色の画素３Ｇ、青色の画素３Ｂを順次ライン単位で駆動するようになされており、これによりコントローラ７は、図７（Ｂ）に示すように、赤色の画像データＤＲ、緑色の画像データＤＧ、青色の画像データＤＢをライン単位で順次循環的に繰り返すようにしてこの画像データＤ１を出力する。
【０００６】
またコントローラ７は、タイミングジェネレータ（ＴＧ）１１によりこの画像データＤ１に同期した各種タイミング信号を生成して水平駆動回路４、垂直駆動回路５に出力する。なおここでこのタイミング信号にあっては、例えば画像データＤ１のクロックＣＫ（図７（Ａ））、この画像データＤ１における各色の画像データＤＲ、ＤＧ、ＤＢの開始及び終了のタイミングを示すスタートパルスＳＴ（図７（Ｃ））及びストローブパルス（図７（Ｄ））等である。
【０００７】
またコントローラ７は、ディジタルアナログ変換処理に供する基準電圧の生成基準である原基準電圧ＶＲＴ、ＶＢ〜ＶＧ、ＶＲＢを原基準電圧生成回路１２で生成して水平駆動回路４に出力する。
【０００８】
水平駆動回路４は、コントローラ７から出力される画像データＤ１をシフトレジスタ１３に入力し、この画像データＤ１を表示部２の信号線の系統に順次振り分けて出力する。基準電圧生成回路１４は、画像データＤ１の各階調に対応する電圧である基準電圧Ｖ１〜Ｖ６４を、コントローラ７から入力される原基準電圧ＶＲＴ、ＶＢ〜ＶＧ、ＶＲＢから生成して出力する。
【０００９】
ディジタルアナログ変換回路（Ｄ／Ａ）１５Ａ〜１５Ｎは、それぞれシフトレジスタ１３の出力データをディジタルアナログ変換処理し、これによりこの例では、隣接する３つの信号線ＳＩＧの駆動信号を時分割多重化してなる駆動信号を出力する。ディジタルアナログ変換回路１５Ａ〜１５Ｎは、シフトレジスタ１３の出力データに応じて基準電圧生成回路１４で生成される基準電圧Ｖ１〜Ｖ６４を選択して出力することにより、シフトレジスタ１３から出力される画像データをディジタルアナログ変換処理する。
【００１０】
増幅回路１６Ａ〜１６Ｎは、このディジタルアナログ変換回路１５Ａ〜１５Ｎの出力信号をそれぞれ増幅して表示部２に出力し、表示部２は、セレクタ１７Ａ〜１７Ｎにおいて、この増幅回路１６Ａ〜１６Ｎの出力信号をそれぞれ赤色、緑色、青色の画素３Ｒ、３Ｇ、３Ｂに係る信号線ＳＩＧに順次循環的に出力する。
【００１１】
このようにして原基準電圧ＶＲＴ、ＶＢ〜ＶＧ、ＶＲＢから生成した基準電圧Ｖ１〜Ｖ６４を選択して各信号線ＳＩＧの駆動信号を生成するようにして、図８は、これら原基準電圧ＶＲＴ、ＶＢ〜ＶＧ、ＶＲＢの生成に供する原基準電圧生成回路１２、基準電圧Ｖ１〜Ｖ６４の生成に供する基準電圧生成回路１４の構成を示すブロック図である。
【００１２】
原基準電圧生成回路１２は、所定個数の抵抗を直列接続した分圧回路２１が設けられ、この分圧回路２１により基準電圧生成用電圧ＶＣＯＭを分圧して原基準電圧ＶＲＴ、ＶＢ〜ＶＧ、ＶＲＢを生成する。これにより原基準電圧生成回路１２は、抵抗分圧により原基準電圧ＶＲＴ、ＶＢ〜ＶＧ、ＶＲＢを生成し、それぞれ増幅回路２４Ａ〜２４Ｈを介して出力するようになされている。なお原基準電圧生成回路１２は、液晶表示装置の場合、選択回路２２、反転増幅回路２３によりこの分圧回路２１に印加する電圧を切り換えることができるように構成され、これによりライン反転又はフレーム反転に対応できるようになされている。これにより図７（Ｆ）は、ライン反転による場合の信号線ＳＩＧの電位を示すものである。
【００１３】
これに対して基準電圧生成回路１４は、抵抗値の等しい抵抗をそれぞれ所定個数だけ直列接続してなる分圧回路Ｒ１〜Ｒ７を、さらに直列接続して抵抗直列回路２６が形成され、この抵抗直列回路２６の一端、この抵抗直列回路２６を構成する分圧回路Ｒ１〜Ｒ７の接続点、抵抗直列回路２６の他端に、それぞれ増幅回路２７Ａ〜２７Ｈを介して原基準電圧ＶＲＴ、ＶＢ〜ＶＧ、ＶＲＢが入力される。これにより基準電圧生成回路１４は、原基準電圧生成回路１２で生成した原基準電圧ＶＲＴ、ＶＢ〜ＶＧ、ＶＲＢによる各電位差を、この分圧回路Ｒ１〜Ｒ７でそれぞれさらに分圧して原基準電圧ＶＲＴ、ＶＲＢの範囲で基準電圧Ｖ１〜Ｖ６４を生成するようになされている。
【００１４】
このようにして原基準電圧ＶＲＴ、ＶＢ〜ＶＧ、ＶＲＢから基準電圧Ｖ１〜Ｖ６４を生成するようにして、基準電圧生成回路１４は、分圧回路Ｒ１〜Ｒ７を構成する抵抗の数がそれぞれ所定個数に設定され、これにより原基準電圧ＶＲＴ、ＶＢ〜ＶＧ、ＶＲＢを分圧して画像データＤ１の階調に対応する複数の基準電圧Ｖ１〜Ｖ６４を出力できるようになされている。
【００１５】
原基準電圧生成回路１２においては、このようにして画像データＤ１の階調に対応する基準電圧Ｖ１〜Ｖ６４により、所望のガンマ特性による画像を表示するように、分圧回路２１を構成する抵抗の値が設定される。これにより電圧ＶＣＯＭを５〔Ｖ〕に設定した例により図９において符号Ｌ１により示すように、原基準電圧ＶＲＴ、ＶＢ〜ＶＧ、ＶＲＢの設定による折れ線近似により所望のガンマ特性を確保できるようになされている。また原基準電圧生成回路１２においては、配線パターンの変更により、この分圧回路２１から出力する原基準電圧ＶＲＴ、ＶＢ〜ＶＧ、ＶＲＢを切り換えることができるようになされ、これにより符号Ｌ１により示す特性との対比により符号Ｌ２により示すように、例えば両端の電位である原基準電圧ＶＲＴ、ＶＲＢを固定した状態で、残りの原基準電圧ＶＢ〜ＶＧを矢印により示す範囲で可変して種々にガンマ特性を可変できるようになされている。
【００１６】
このようにして原基準電圧ＶＲＴ、ＶＢ〜ＶＧ、ＶＲＢを生成する原基準電圧生成回路１２の設定によりガンマ特性を切り換えることができるようにして、液晶表示装置１では、原基準電圧生成回路１２に係るコントローラ７がコントロールＩＣにより形成されるのに対し、水平駆動回路４がドライバＩＣにより形成される。これにより従来、液晶表示装置１では、コントロールＩＣだけを付け替えることにより、ガンマ特性の異なる製品を製造することができるようになされ、またこれによりガンマ特性の修正にあっては、修正に要する期間を短くすることができるようになされている。なお符号ＣＡ〜ＣＨは、これらＩＣ間の浮遊容量である。
【００１７】
ところでこのようなフラットディスプレイ装置においては、有機ＥＬ素子による表示装置があり、このような有機ＥＬ素子による表示装置の表示部においても、液晶表示装置の表示部と同様に、信号線ＳＩＧの駆動により、各有機ＥＬ素子の階調を設定する方法が提案されている。これによりこのような方法に係る有機ＥＬ素子の表示部については、液晶表示装置に係るコントロールＩＣ等を使用して、表示装置を構成できると考えられる。
【００１８】
ところが有機ＥＬ素子においては、各色毎に、製品毎に発光特性が異なり、さらには発光特性が経時変化する。具体的に、有機ＥＬ素子は、各色毎に、製品毎に、さらには経時変化に対応して、黒レベル、ダイナミックレンジを調整することが必要になる。なお有機ＥＬ素子において、ガンマ特性自体については、調整を要しないことが判っている。これにより有機ＥＬ素子による表示装置においては、図８に示すコントロールＩＣ等を適用する場合、各色毎に、製品毎に、さらには経時変化に対応するように、分圧回路２１の両端電圧を調整することが必要になる。これに対してこの図８に示す原基準電圧生成回路１２は、基準電圧Ｖ１〜Ｖ６４を固定値による１種類しか出力し得ない。これにより図５について上述した液晶表示装置に係る駆動回路によっては、各色毎、製品毎の発光特性のばらつき、発光特性の経時変化には対応できず、これにより実際上、有機ＥＬ素子の表示装置を構成できない問題がある。
【特許文献１】特開平１０−３３３６４８号公報
【発明の開示】
【発明が解決しようとする課題】
【００１９】
本発明は以上の点を考慮してなされたもので、発光特性のばらつき等を補正できるようにして有機ＥＬ素子による表示装置に適用して好適なフラットディスプレイ装置の駆動回路、この駆動回路を用いたフラットディスプレイ装置を提案しようとするものである。
【課題を解決するための手段】
【００２０】
かかる課題を解決するため請求項１の発明においては、フラットディスプレイ装置の駆動回路に適用して、基準電圧生成用電圧より複数の原基準電圧を生成する原基準電圧生成回路と、抵抗を複数個直列接続した分圧回路をさらに複数個直列接続して、両端及び分圧回路間に原基準電圧をそれぞれ入力し、複数個の分圧回路による分圧電圧により複数の基準電圧を出力する基準電圧生成回路と、複数の基準電圧を入力して、対応する信号線に係る画像データに応じて選択出力することにより、駆動信号を出力する複数の選択回路と、原基準電圧の設定を指示する原基準電圧設定データを入力する入力回路とを備え、原基準電圧生成回路は、原基準電圧設定データに応じて、原基準電圧をそれぞれ生成する複数のディジタルアナログ変換回路を有するようにする。
【００２１】
また請求項５の発明においては、フラットディスプレイ装置に適用して、水平駆動回路は、基準電圧生成用の電源より複数の原基準電圧を生成する原基準電圧生成回路と、抵抗を複数個直列接続した分圧回路をさらに複数個直列接続して、両端及び分圧回路間に原基準電圧をそれぞれ入力し、複数個の分圧回路による分圧電圧により複数の基準電圧を出力する基準電圧生成回路と、複数の基準電圧を入力して、対応する信号線に係る画像データに応じて選択出力することにより、駆動信号を出力する複数の選択回路とを備え、原基準電圧生成回路は、原基準電圧設定データに応じて、原基準電圧をそれぞれ生成する複数のディジタルアナログ変換回路を有するようにする。
【００２２】
請求項１の構成により、フラットディスプレイ装置の駆動回路に適用して、基準電圧生成用電圧より複数の原基準電圧を生成する原基準電圧生成回路と、抵抗を複数個直列接続した分圧回路をさらに複数個直列接続して、両端及び分圧回路間に原基準電圧をそれぞれ入力し、複数個の分圧回路による分圧電圧により複数の基準電圧を出力する基準電圧生成回路と、複数の基準電圧を入力して、対応する信号線に係る画像データに応じて選択出力することにより、駆動信号を出力する複数の選択回路と、原基準電圧の設定を指示する原基準電圧設定データを入力する入力回路とを備え、原基準電圧生成回路は、原基準電圧設定データに応じて、原基準電圧をそれぞれ生成する複数のディジタルアナログ変換回路を有するようにすれば、原基準電圧設定データにより種々に発光特性を補正することができる。これにより色毎に原基準電圧設定データを設定して、色により異なる発光特性を補正することができ、また製品毎に原基準電圧設定データを設定して、製品間でばらつく発光特性を補正することができ、さらには発光特性の変化に対応して原基準電圧設定データを設定して、発光特性の経時変化を補正することができ、これらにより有機ＥＬ素子による表示装置に適用して好適なフラットディスプレイ装置の駆動回路を提供することができる。
【００２３】
またこれにより請求項５の構成によれば、このような駆動回路を用いたフラットディスプレイ装置を提供することができる。
【発明の効果】
【００２４】
本発明によれば、発光特性のばらつきを補正できるようにして、有機ＥＬ素子による表示装置に適用して好適な駆動回路、この駆動回路による表示装置を提供することができる。
【発明を実施するための最良の形態】
【００２５】
以下、適宜図面を参照しながら本発明の実施例を詳述する。
【実施例１】
【００２６】
（１）実施例の構成
図２は、本発明の実施例に係るＰＤＡ（Personal Digital Assistants ）を示すブロック図である。このＰＤＡ３１は、装置本体３２において、操作子の操作に応動して演算処理手段であるコントローラ３３で所定の処理手順を実行することにより、表示部３４に各種の画像を表示する。なおこの図２において、上述した図６と同一の構成は、対応する符号を付して重複した説明は省略する。
【００２７】
ここでこの実施例において、表示部３４は、有機ＥＬ素子による各画素がマトリックス状に配置されてなるカラー画像の表示パネルであり、各画素に接続されたゲート線により図示しない垂直駆動回路でライン単位で画素を選択し、信号線ＳＩＧの信号レベルにより各画素の階調が設定されるようになされている。
【００２８】
このＰＤＡ３１は、工場出荷時、この有機ＥＬ素子による表示部３４に関して、各色の発光特性が測定され、この測定結果に基づいて、メモリ４０に、図６について上述した原基準電圧ＶＲＴ、ＶＢ〜ＶＧ、ＶＲＢの設定を指示する原基準電圧設定データＤＶが各色毎に記録され、これによりこの原基準電圧設定データＤＶを用いて原基準電圧ＶＲＴ、ＶＢ〜ＶＧ、ＶＲＢを設定して各色の発光特性のばらつき、製品間の発光特性のばらつきを補正できるようになされ、これにより正しいホワイトバランス、色再現性により表示画像を表示できるようになされている。
【００２９】
なおこの実施例においては、これら原基準電圧ＶＲＴ、ＶＢ〜ＶＧ、ＶＲＢのうち、最も電圧の高い原基準電圧ＶＲＴと、最も電圧の低い原基準電圧ＶＲＢとが、それぞれ黒レベル及び白レベルの階調に対応する原基準電圧であり、これにより以下においては、適宜、これら２つの原基準電圧ＶＲＴ、ＶＲＢをそれぞれ黒レベル用原基準電圧ＶＲＴ、白レベル用原基準電圧ＶＲＢと呼ぶ。またこれに対応してこれら黒レベル用原基準電圧ＶＲＴ、白レベル用原基準電圧ＶＲＢに対応する原基準電圧設定データＤＶを、適宜、黒レベル用原基準電圧設定データ、白レベル用原基準電圧設定データと呼び、それぞれ符号ＤＶＶＲＴ、ＤＶＶＲＢにより示し、またこれに対応してこれら以外の原基準電圧ＶＢ〜ＶＧに係る原基準電圧設定データＤＶをそれぞれ符号ＤＶＶＢ〜ＤＶＶＧにより示す。これによりメモリ４０は、黒レベル用原基準電圧設定データＤＶＶＲＴ、白レベル用原基準電圧設定データＤＶＶＲＢ、これら以外の原基準電圧設定データＤＶＶＢ〜ＤＶＶＧを保持するようになされている。
【００３０】
またＰＤＡ３１は、ユーザーの好みにより、さらには発光特性の経時変化に対応可能に、所定の処理手順をコントローラ３３により実行して表示部３４におけるホワイトバランス、黒レベル、白レベルを調整できるようになされ、この調整結果をメモリ３６に記録して保持すると共に、この調整結果により表示部３４の表示を設定するようになされている。このＰＤＡ３１は、メモリ４０に記録された工場出荷時に係る原基準電圧設定データＤＶＶＲＴ、ＤＶＶＢ〜ＤＶＶＧ、ＤＶＶＲＢについて、これらの調整に係る原基準電圧設定データＤＶＶＲＴ、ＤＶＶＢ〜ＤＶＶＧ、ＤＶＶＲＢの補正データＤ２を、これら原基準電圧設定データＤＶＶＲＴ、ＤＶＶＢ〜ＤＶＶＧ、ＤＶＶＲＢに対応する差分データΔＤＶＶＲＴ、ΔＤＶＶＢ〜ΔＤＶＶＧ、ΔＤＶＶＲＢの形式により各色毎にメモリ３６に記録して保持すると共に、このメモリ３６に記録された補正データＤ２をコントローラ３７の処理に応じたタイミングによりコントローラ３７に出力し、これによりこのようなホワイトバランス調整等の調整結果を記録して保持し、さらにはこの調整結果により表示部３４の表示を設定するようになされている。
【００３１】
コントローラ３７は、集積回路により構成され、装置本体３２から出力される各色の画像データＤＲ、ＤＧ、ＤＢをライン単位で時分割多重化し、１系統による画像データＤ１を出力する。また装置本体３２のコントローラ３３から出力される補正データＤ２により原基準電圧設定データＤＶを補正して水平駆動回路４５に出力する。
【００３２】
すなわちコントローラ３７において、タイミングジェネレータ（ＴＧ）４８は、画像データＤ１、ＤＲ〜ＤＢに同期した各種タイミング信号を生成して出力する。メモリ制御回路４９は、このタイミング信号を基準にしてメモリ５０の動作を制御し、メモリ５０は、装置本体３２から出力される画像データＤＲ〜ＲＢを順次格納して出力することにより、画像データＤＲ、ＤＧ、ＤＢをライン単位で時分割多重化して画像データＤ１を出力する。
【００３３】
メモリ制御回路５１は、メモリ４０の動作を制御することにより、水平走査周期で、メモリ４０から原基準電圧設定データＤＶを読み出して原基準電圧設定回路５３に出力する。
【００３４】
原基準電圧設定回路５３は、装置本体３２のコントローラ３３から出力される補正データＤ２により、メモリ制御回路５１から出力される原基準電圧設定データＤＶを補正して出力する。すなわち図３に示すように、原基準電圧設定回路５３は、メモリ制御回路５１を介して入力される原基準電圧設定データＤＶ（ＤＶＶＲＴ、ＤＶＶＢ〜ＤＶＶＧ、ＤＶＶＲＢ）を加算回路５３Ａに入力し、ここでコントローラ３３から出力される補正データＤ２（ΔＤＶＶＲＴ、ΔＤＶＶＢ〜ΔＤＶＶＧ、ΔＤＶＶＲＢ）を加算することにより、これら原基準電圧設定データＤＶＶＲＴ、ＤＶＶＢ〜ＤＶＶＧ、ＤＶＶＲＢを補正する。またこのようにして補正してなる原基準電圧設定データＤＶＶＲＴ、ＤＶＶＢ、ＤＶＶＧ、ＤＶＶＲＢをエンコーダ５３Ｂに入力し、ここでシルアルデータに変換して出力する。
【００３５】
この一連の処理において、原基準電圧設定回路５３は、水平駆動回路４５における信号線ＳＩＧの駆動に対応して、原基準電圧設定データＤＶを出力する。しかしてこの実施例では、表示部３４において、水平方向に連続する赤色、緑色、青色の画素を１組にして、この１組の画素を１つの駆動信号により時分割により駆動することにより、原基準電圧設定回路５３は、１水平走査期間の間で、それぞれ赤色、緑色、青色の画像データＤＲ、ＤＧ、ＤＢ用の原基準電圧設定データＤＶを切り換えて出力するようになされている。
【００３６】
水平駆動回路４５は、コントローラ３７とは別体の集積回路により構成され、コントローラ３７から出力される画像データＤ１をシフトレジスタ１３により上述した水平方向に連続する赤色、緑色、青色の画素による各組に振り分けた後、セレクタによるディジタルアナログ変換回路１５Ａ〜１５Ｎによりそれぞれディジタルアナログ変換処理する。またこのディジタルアナログ変換処理結果による駆動信号を増幅回路１６Ａ〜１６Ｎによりそれぞれ増幅して表示部３４に出力し、表示部３４は、それぞれセレクタ１７Ａ〜１７Ｎにより増幅回路１６Ａ〜１６Ｎから出力信号を各信号線ＳＩＧに振り分ける。
【００３７】
水平駆動回路４５は、このような一連の処理に係るディジタルアナログ変換回路１５Ａ〜１５Ｎの基準電圧Ｖ１〜Ｖ６４を原基準電圧生成回路６０、基準電圧生成回路５９により原基準電圧設定データＤＶに応じて生成する。
【００３８】
図１は、この原基準電圧生成回路６０、基準電圧生成回路５９を示すブロック図である。ここで基準電圧生成回路５９は、増幅回路２７Ａ〜２７Ｈが省略されている点を除いて、図８について上述した基準電圧生成回路１４と同一に形成され、原基準電圧生成回路６０から出力される原基準電圧ＶＲＴ、ＶＢ〜ＶＧ、ＶＲＢから抵抗分圧により基準電圧Ｖ１〜Ｖ６４を生成して出力する。
【００３９】
原基準電圧生成回路６０は、ディジタルアナログ変換回路（Ｄ／Ａ）６１Ａ〜６１Ｈによりそれぞれ原基準電圧設定データＤＶに応じて原基準電圧ＶＲＴ、ＶＢ〜ＶＧ、ＶＲＢを生成する。
【００４０】
すなわちディジタルアナログ変換回路６１Ａ〜６１Ｈは、同一に構成され、それぞれ分圧回路６２により基準電圧生成用電圧ＶＣＯＭを分圧して原基準電圧の候補電圧を複数生成する。ここで分圧回路６２は、抵抗値の等しい複数の抵抗の直列回路により構成され、この基準電圧生成用電圧ＶＣＯＭを原基準電圧設定データＤＶのビット数に対応する分解能により分圧して出力する。この実施例においては、この原基準電圧設定データＤＶが６ビットにより形成され、また基準電圧生成用電圧ＶＣＯＭが５〔Ｖ〕に設定され、これにより分圧回路６２は、約８０〔ｍＶ〕（≒５〔Ｖ〕／６４）単位で、順次電圧が異なってなる６４種類の候補電圧を出力する。
【００４１】
セレクタ６３は、この分圧回路６２から出力される６４種類の候補電圧を原基準電圧設定データＤＶに応じて選択して出力する。
【００４２】
原基準電圧生成回路６０においては、このようして生成される各ディジタルアナログ変換回路６１Ａ〜６１Ｈの出力電圧を原基準電圧ＶＲＴ、ＶＢ〜ＶＧ、ＶＲＢとして増幅回路６４Ａ〜６４Ｈを介して出力し、基準電圧生成回路５９は、これらの原基準電圧ＶＲＴ、ＶＢ〜ＶＧ、ＶＲＢをそれぞれ抵抗直列回路２６に入力して基準電圧Ｖ１〜Ｖ６４を生成する。
【００４３】
デコーダ６５は、コントローラ３７から出力されるシリアルデータによる原基準電圧設定データＤＶを順次取り込み、セレクタ１７Ａ〜１７Ｎにおける接点の切り換えに対応するタイミングによりディジタルアナログ変換回路６１Ａ〜６１Ｈに振り分けて出力する。
【００４４】
図４は、このようにして実現されるガンマ特性の例を示す特性曲線図である。この実施例においては、これらにより例えば符号Ｌ１Ａにより示す特性曲線に対して符号Ｌ２Ａにより示すように、原基準電圧設定データＤＶの設定によりガンマ特性を可変できるようになされ、これにより所望するガンマ特性により所望する画像を表示できるようになされている。また黒レベル用原基準電圧設定データＤＶＶＲＴ、白レベル用原基準電圧設定データＤＶＶＲＢの設定により黒レベル、白レベルを各色毎に、製品毎に設定し、色毎、製品毎による発光特性のばらつき、発光特性の経時変化に対応できるようになされている。またさらにはライン反転に対応するようにメモリ４０に２種類の原基準電圧設定データＤＶを格納して、又はライン反転に対応する補正データＤ２の切り換えにより、符号Ｌ３、符号Ｌ４に示す液晶表示パネルに係るガンマ特性についても、実現できるようになされている。
【００４５】
これらによりこの実施例において、原基準電圧生成回路６０は、基準電圧生成用電圧ＶＣＯＭより複数の原基準電圧ＶＲＴ、ＶＢ〜ＶＧ、ＶＲＢを生成する原基準電圧生成回路を構成し、基準電圧生成回路５９は、抵抗を複数個直列接続した分圧回路Ｒ１〜Ｒ７をさらに複数個直列接続して、両端及び分圧回路Ｒ１〜Ｒ７間に原基準電圧ＶＲＴ、ＶＢ〜ＶＧ、ＶＲＢをそれぞれ入力し、複数個の分圧回路Ｒ１〜Ｒ７による分圧電圧により複数の基準電圧Ｖ１〜Ｖ６４を出力する基準電圧生成回路を構成するようになされている。またディジタルアナログ変換回路１５Ａ〜１５Ｎは、これら複数の基準電圧Ｖ１〜Ｖ６４を入力し、対応する信号線に係る画像データに応じて選択出力することにより、駆動信号を出力する複数の選択回路を構成するようになされ、またデコーダ６５は、原基準電圧ＶＲＴ、ＶＢ〜ＶＧ、ＶＲＢの設定を指示する原基準電圧設定データＤＶを入力する入力回路を構成するようになされている。また原基準電圧生成回路６０において、分圧回路６２は、基準電圧生成用電圧ＶＣＯＭを分圧して、原基準電圧の候補電圧を複数生成する分圧回路を構成し、セレクタ６３は、これら複数の候補電圧を入力して、原基準電圧設定データＤＶ（ＤＶＶＲＴ、ＤＶＶＢ〜ＤＶＶＧ、ＤＶＶＲＢ）に応じて選択出力することにより、原基準電圧を出力する選択回路を構成するようになされている。またメモリ５０及びメモリ制御回路４９は、ライン単位で、同一色の画素に係る画像データが連続するように、各色の画素に係る画像データを時分割多重化して水平駆動回路に入力する時分割多重化回路を構成するようになされ、また原基準電圧設定回路５３は、この時分割多重化した画像データに係る色の切り換えに対応して、原基準電圧設定データＤＶを切り換えるデータ切り換え回路を構成するようになされている。
【００４６】
（２）実施例の動作
以上の構成において、このＰＤＡ３１では（図２）、表示に供する画像データＤＲ〜ＤＢが装置本体３２からコントローラ３７に入力され、ここでメモリ５０を介して、ライン単位で同一色に係る画像データが連続してなるように時分割多重化処理され、その処理結果である画像データＤ１が水平駆動回路４５に入力される。この水平駆動回路４５において、画像データＤ１は、シフトレジスタ１３に取り込まれ、ライン単位で、同一色に係る画像データが同時並列的にディジタルアナログ変換回路１５Ａ〜１５Ｎに入力される。またこのディジタルアナログ変換回路１５Ａ〜１５Ｎにおけるディジタルアナログ変換処理により、駆動信号に変換され、この駆動信号がそれぞれ増幅回路１６Ａ〜１６Ｎを介してセレクタ１７Ａ〜１７Ｎに入力される。これにより画像データＤ１は、表示部３４において赤色、緑色、青色の順序により水平方向に順次循環的に繰り返されてなる有機ＥＬ素子による画素に対して、これら赤色、緑色、青色の画素による組み合わせに振り分けられた後、駆動信号に変換され、この駆動信号がセレクタ１７Ａ〜１７Ｎにより赤色、緑色、青色の画素に係る信号線ＳＩＧに振り分けられ、これによりＰＤＡ３１では、画像データＤＲ〜ＤＢにより各画素の階調が設定されて所望の画像が表示される。
【００４７】
また原基準電圧生成回路６０において（図１）、基準電圧生成用電圧ＶＣＯＭより複数の原基準電圧ＶＲＴ、ＶＢ〜ＶＧ、ＶＲＢが生成され、所定個数の抵抗を直列接続して形成された複数の分圧回路Ｒ１〜Ｒ７を、さらに直列接続してなる抵抗直列回路による基準電圧生成回路５９において、これら原基準電圧ＶＲＴ、ＶＢ〜ＶＧ、ＶＲＢを抵抗分圧して基準電圧Ｖ１〜Ｖ６４が形成され、ディジタルアナログ変換回路１５Ａ〜１５Ｎにおいて、この基準電圧Ｖ１〜Ｖ６４の選択により画像データＤ１がディジタルアナログ変換処理されて駆動信号が生成され、これにより原基準電圧ＶＲＴ、ＶＢ〜ＶＧ、ＶＲＢにより設定される折れ線近似によるガンマ特性により駆動信号が生成されて画像が表示される。
【００４８】
しかして有機ＥＬ素子においては、色毎、製品毎に発光特性が異なり、さらには経時変化により発光特性が変化することにより、このようにして画像データＤＲ〜ＤＢをディジタルアナログ変換処理して駆動信号を生成するようにして、このようにして設定される基準電圧Ｖ１〜Ｖ６４を各色毎に、製品毎に設定し、経時変化に対応するように補正することが必要になる。
【００４９】
このためＰＤＡ３１では、各色毎に、製品毎に、発光特性が測定され、この測定結果より所望の発光特性を確保可能に、原基準電圧ＶＲＴ、ＶＢ〜ＶＧ、ＶＲＢの設定を指示する原基準電圧設定データＤＶがメモリ４０に記録されて保持される。またこの原基準電圧設定データＤＶを補正する補正データＤ２がユーザーによる調整操作に応動して装置本体３２のメモリ３６に記録されて保持される。ＰＤＡ３１では、原基準電圧設定回路５３において、この原基準電圧設定データＤＶが補正データＤ２により補正された後、画像データＤ１の時分割多重化に対応して、順次、水平駆動回路４５に入力される。
【００５０】
水平駆動回路４５においては、この原基準電圧設定データＤＶがデコーダ６５により原基準電圧ＶＲＴ、ＶＢ〜ＶＧ、ＶＲＢの各系統に分割され、これらの原基準電圧設定データＤＶがディジタルアナログ変換回路６１Ａ〜６１Ｈによりディジタルアナログ変換処理されて原基準電圧ＶＲＴ、ＶＢ〜ＶＧ、ＶＲＢが生成される。
【００５１】
これによりこの実施例においては、この原基準電圧設定データＤＶの設定により、種々の発光特性に対応することができ、これにより種々の表示パネルに簡易かつ迅速に対応することができる。すなわち単にデータの変更でダイナミックレンジ調整、黒レベル調整し、さらにはガンマ特性を変更できることにより、従来に比して大幅に開発期間を短縮し、さらには開発に要する手間も低減することができる。
【００５２】
またこれにより色毎、製品毎の発光特性のばらつき、経時変化による発光特性の変化についても、柔軟に対応することができ、このような特性のばらつき、変化によるホワイトバランスのずれ、色再現性の劣化を有効に回避して高品質の表示画像を提供することができる。
【００５３】
またこのように原基準電圧設定データＤＶにより原基準電圧ＶＲＴ、ＶＢ〜ＶＧ、ＶＲＢを設定するようにして、画像データＤ１の伝送に係る時分割多重化の処理に対応して、原基準電圧設定データＤＶを切り換えることにより、１系統の原基準電圧生成回路を各色の画像データの処理に共用化することができ、これにより回路規模の増大を有効に回避して、全体構成を簡略化することができるようになされている。
【００５４】
またこのように原基準電圧設定データＤＶにより原基準電圧ＶＲＴ、ＶＢ〜ＶＧ、ＶＲＢを設定するようにして、この原基準電圧ＶＲＴ、ＶＢ〜ＶＧ、ＶＲＢを生成する原基準電圧生成回路を基準電圧生成回路側に設け、一体に集積回路化することにより、ガンマ設定の精度を向上し、生産性を向上することができる。
【００５５】
すなわち図１０に示すように原基準電圧生成回路１２Ａを構成して、原基準電圧生成回路１２Ａと基準電圧生成回路１４とを別の集積回路により作成した場合について考察を試みる。ここでこの原基準電圧生成回路１２Ａは、赤色用の原基準電圧Ｒ−ＶＲＴ、Ｒ−ＶＢ〜Ｒ−ＶＧ、Ｒ−ＶＲＢを生成する分圧回路２１Ｒ、緑色用の原基準電圧Ｇ−ＶＲＴ、Ｇ−ＶＢ〜Ｇ−ＶＧ、Ｇ−ＶＲＢを生成する分圧回路２１Ｇ、青色用の原基準電圧Ｂ−ＶＲＴ、Ｂ−ＶＢ〜Ｂ−ＶＧ、Ｂ−ＶＲＢを生成する分圧回路２１Ｂを設け、これら分圧回路２１Ｒ、２１Ｇ、２１Ｂから出力される３系統の原基準電圧Ｒ−ＶＲＴ、Ｒ−ＶＢ〜Ｒ−ＶＧ、Ｒ−ＶＲＢ、Ｇ−ＶＲＴ、Ｇ−ＶＢ〜Ｇ−ＶＧ、Ｇ−ＶＲＢ、Ｂ−ＶＲＴ、Ｂ−ＶＢ〜Ｂ−ＶＧ、Ｂ−ＶＲＢをセレクタ２９により順次循環的に選択して基準電圧生成回路１４に出力するものである。因みに、このような構成によっても、色毎に異なる発光特性には対応できるものの、分圧回路２１を各色毎に設ける分、構成が複雑になって回路規模が増大し、また消費電力が増大する。またこれら分圧回路２１Ｒ、２１Ｇ、２１Ｂのばらつきにより、色ずれが発生する。さらに、製品毎に異なる発光特性、発光特性の経時変化には対応できないことは言うまでもない。
【００５６】
このように原基準電圧生成回路１２Ａと基準電圧生成回路１４とを別の集積回路により形成する場合、原基準電圧ＶＲＴ、ＶＢ〜ＶＧ、ＶＲＢを基準電圧生成回路１４に出力する配線パターンに係る静電容量ＣＡ〜ＣＨが数〔ｐＦ〕〜数１０〔ｐＦ〕となることにより、図８について上述した液晶表示装置に係る構成と同様に、原基準電圧生成回路１２Ａの側と基準電圧生成回路１４の側とにそれぞれ増幅回路２４Ａ〜２４Ｈ、２７Ａ〜２７Ｈを設けざるを得ず、これによりその分、消費電力が増大することになる。また原基準電圧ＶＲＴ、ＶＢ〜ＶＧ、ＶＲＢの各経路にそれぞれ２つの増幅回路２４Ａ〜２４Ｈ、２７Ａ〜２７Ｈが設けられていることにより、増幅回路による原基準電圧ＶＲＴ、ＶＢ〜ＶＧ、ＶＲＢのばらつきも大きくなる。
【００５７】
またこのような静電容量ＣＡ〜ＣＨの大きな負荷を増幅回路２４Ａ〜２４Ｈで駆動して、１水平操作期間で３回、原基準電圧ＶＲＴ、ＶＢ〜ＶＧ、ＶＲＢを切り換えることが必要なことにより、これら増幅回路２４Ａ〜２４Ｈ、２７Ａ〜２７Ｈにおいては、液晶表示装置の場合に比して高速動作可能にすることが必要になり、これによりさらに消費電力が増大し、またコントロールＩＣ等に係るトランジスタのチップ面積を大型化することが必要になり、その分、回路規模が増大する。またこのようにトランジスタのチップ面積が大型化すると、これに伴って増幅回路２４Ａ〜２４Ｈ、２７Ａ〜２７Ｈのばらつきも一段と大きくなり、また静電容量ＣＡ〜ＣＨもばらつくことにより、上述したように原基準電圧設定データＤＶにより原基準電圧ＶＲＴ、ＶＢ〜ＶＧ、ＶＲＢを設定するようにしても、原基準電圧生成回路と基準電圧生成回路とを別の集積回路により形成した場合、実用上十分な精度により原基準電圧ＶＲＴ、ＶＢ〜ＶＧ、ＶＲＢを分圧回路Ｒ１〜Ｒ７に供給できなくなる。具体的に、この実施例においては、原基準電圧ＶＲＴ、ＶＢ〜ＶＧ、ＶＲＢが８０〔ｍＶ〕の分解能により生成されるのに対し、原基準電圧生成回路と基準電圧生成回路とを別の集積回路により形成した場合、この分解能の数倍程度、分圧回路Ｒ１〜Ｒ７に入力する原基準電圧ＶＲＴ、ＶＢ〜ＶＧ、ＶＲＢがばらつくことになり、これにより実用に供することが困難になる。
【００５８】
なおこのような増幅回路の動作速度にあっては、セトリング時間により判定することができる。ここでセトリング時間は、このように原基準電圧ＶＲＴ、ＶＢ〜ＶＧ、ＶＲＢを切り換えて、対応する信号線ＳＩＧの信号レベルが画像データＤ１の階調に対応する一定の信号レベルに安定するまでの期間であり（図７（Ｆ））、この例では増幅回路２４Ａ〜２４Ｈのセトリング時間、増幅回路２７Ａ〜２７Ｈのセトリング時間、増幅回路１６Ａ〜１６Ｎのセトリング時間の総和となり、これら増幅回路２４Ａ〜２４Ｈ、２７Ａ〜２７Ｈ、１６Ａ〜１６Ｎのうち、静電容量ＣＡ〜ＣＨが大きいため増幅回路２４Ａ〜２４Ｈで、セトリング時間が最も大きくなる。
【００５９】
しかしながらこの実施例のように原基準電圧生成回路を基準電圧生成回路側に設けて一体化すれば、原基準電圧ＶＲＴ、ＶＢ〜ＶＧ、ＶＲＢの伝送路に係る静電容量を各段的に小さくすることができることにより、増幅回路を省略することができる。またこのように増幅回路を省略して残る増幅回路についても、チップ面積を大型化することなく原基準電圧ＶＲＴ、ＶＢ〜ＶＧ、ＶＲＢの切り換えに対応することができ、これらにより原基準電圧設定データＤＶにより原基準電圧ＶＲＴ、ＶＢ〜ＶＧ、ＶＲＢを設定するようにして、十分な精度を確保することができる。また増幅回路を省略できることにより、その分、構成を簡略化して消費電力を低減することができる。
【００６０】
またこのように原基準電圧設定データＤＶにより原基準電圧ＶＲＴ、ＶＢ〜ＶＧ、ＶＲＢを設定するようにして、ＰＤＡ３１では、結局、１ラインで３回、原基準電圧設定データＤＶを出力してガンマ特性を切り換えることになる。これにより例えばノイズの混入により誤ってガンマ特性を設定した場合でも、このノイズの影響によるガンマの誤設定を１ラインに止めることができ、これによりノイズによる画質劣化を最小限度に止めることができる。
【００６１】
（３）実施例の効果
以上の構成によれば、ディジタルアナログ変換用の基準電圧の生成に使用する原基準電圧を、原基準電圧設定データに応じて生成することにより、発光特性のばらつき、経時変化を補正できるようにして、有機ＥＬ素子による表示装置に適用して好適な駆動回路、この駆動回路による表示装置を提供することができる。
【００６２】
またこのとき基準電圧生成用電圧を分圧して原基準電圧の候補電圧を複数生成し、この複数の候補電圧の原基準電圧設定データに応じた選択出力により原基準電圧を生成することにより、簡易な構成で、高い精度により原基準電圧を生成することができる。
【００６３】
またこのような原基準電圧生成回路、基準電圧生成回路を他の構成と共に一体に集積回路化することにより、原基準電圧の出力に供する増幅回路を省略して、その分、従来に比して構成を簡略化し、さらには消費電力を低減して、実用上十分な精度によりガンマを設定することができる。
【００６４】
また表示部における画素の繰り返しに対応して、ライン単位で、同一色の画素に係る画像データが連続するように画像データを時分割多重化して伝送して表示部を駆動するようにして、この時分割多重化に係る画像データの切り換えに対応して、原基準電圧設定データにより原基準電圧を切り換えることにより、各色で原基準電圧生成回路、基準電圧生成回路を共用化して、各色による異なる発光特性を補正することができ、その分、簡易な構成により高品位の表示画像を形成することができる。
【００６５】
また表示部の経時変化を補正する補正データにより補正して原基準電圧設定データを生成することにより、経時変化についても対応することができる。
【実施例２】
【００６６】
なお上述の実施例においては、原基準電圧生成回路の各ディジタルアナログ変換回路にそれぞれ分圧回路を設ける場合について述べたが、本発明はこれに限らず、この分圧回路にあっては、これらディジタルアナログ変換回路で共用化するようにしてもよい。
【００６７】
また上述の実施例においては、本発明をＰＤＡに適用する場合について述べたが、本発明はこれに限らず、種々の映像機器に広く適用することができる。
【産業上の利用可能性】
【００６８】
本発明は、フラットディスプレイ装置の駆動回路及びフラットディスプレイ装置に関し、例えば有機ＥＬ素子による表示装置に適用することができる。
【図面の簡単な説明】
【００６９】
【図１】本発明の実施例に係るＰＤＡの原基準電圧生成回路及び基準電圧生成回路を示すブロック図である。
【図２】本発明の実施例に係るＰＤＡを示すブロック図である。
【図３】図１の原基準電圧設定回路を示すブロック図である。
【図４】図２のＰＤＡにおけるガンマ特性の説明に供する特性曲線図である。
【図５】従来の液晶表示装置を示すブロック図である。
【図６】図５の液晶表示装置における水平駆動回路を周辺構成と共に示すブロック図である。
【図７】図６の説明に供するタイムチャートである。
【図８】図６の水平駆動回路及びコントローラにおける原基準電圧生成回路及び基準電圧生成回路を示すブロック図である。
【図９】図５の液晶表示装置におけるガンマ特性の説明に供する特性曲線図である。
【図１０】分圧回路を各色毎に設けた例を示すブロック図である。
【符号の説明】
【００７０】
１……液晶表示装置、２、３４……表示部、３Ｒ、３Ｇ、３Ｂ……画素、４、４５……水平駆動回路、６、３２……装置本体、７、３３、３７……コントローラ、９、４９、５１……メモリ制御回路、１０、３６、４０、５０……メモリ、１２、６０……原基準電圧生成回路、１３……シフトレジスタ、１４、５９……基準電圧生成回路、１５Ａ〜１５Ｎ、６１Ａ〜６１Ｈ……ディジタルアナログ変換回路、１６Ａ〜１６Ｎ、２４Ａ〜２４Ｈ、２７Ａ〜２７Ｈ、６４Ａ〜６４Ｈ……増幅回路、１７Ａ〜１７Ｎ、６３……セレクタ、２１、６２、Ｒ１〜Ｒ７……分圧回路、２６……抵抗直列回路、３１……ＰＤＡ、５３……原基準電圧設定回路、５３Ｂ……エンコーダ、６５……デコーダ
【図１】
2005284037.tif 000003
【図２】
2005284037.tif 000004
【図３】
2005284037.tif 000005
【図４】
2005284037.tif 000006
【図５】
2005284037.tif 000007
【図６】
2005284037.tif 000008
【図７】
2005284037.tif 000009
【図８】
2005284037.tif 000010
【図９】
2005284037.tif 000011
【図１０】
2005284037.tif 000012